(57)【要約】【課題】現地に派遣された保守員に対して、保守点検すべき設備機器に関する情報を正確に提供する。【解決手段】情報提供システム１０は、建物１２に取り付けられた二次元コード２４と、二次元コード２４を撮影する撮影部２６を含む携帯端末１４と、携帯端末１４に通信回線２０を介して接続され、設備機器１６を遠隔から監視する監視センタ１８とを有する。監視センタ１８は、建物１２と設備機器１６に関する情報を記憶する記憶部３４と、二次元コード２４と記憶部３４に記憶された情報とに基づいて特定設備機器４０に関する情報を選定する選定部３６と、選定部３６により選定された情報を携帯端末１４に提供する提供部３８とを含むように構成される。【選択図】図１
2011243091.tif 000002
【特許請求の範囲】
【請求項１】
建物に配置された設備機器と、
建物に取り付けられた二次元コードと、
保守員が保持し、二次元コードを撮影する撮影部を含む携帯端末と、
携帯端末に通信回線を介して接続され、設備機器を遠隔から監視する監視センタと、
を有し、
監視センタは、
建物と設備機器に関する情報を記憶する記憶部と、
撮影部によって撮影された二次元コードと記憶部に記憶された情報とに基づいて保守点検すべき設備機器である特定設備機器に関する情報を選定する選定部と、
選定部により選定された情報を携帯端末に提供する提供部と、
を含む、
ことを特徴とする設備機器の情報提供システム。
【請求項２】
請求項１に記載の設備機器の情報提供システムにおいて、
記憶部は、複数の設備機器が収容された区画に関する情報を記憶し、
二次元コードは、前記区画の入口付近に取り付けられた区画二次元コードを含み、
選定部は、区画二次元コードの区画に特定設備機器がある場合、その特定設備機器に関する情報と、その区画に関する情報として区画のレイアウト情報とを選定し、
提供部は、選定部により選定されたそれらの情報を提供する、
ことを特徴とする設備機器の情報提供システム。
【請求項３】
請求項２に記載の設備機器の情報提供システムにおいて、
選定部は、選定されたレイアウト情報に特定設備機器の位置をプロットする、
ことを特徴とする設備機器の情報提供システム。
【請求項４】
請求項１から３のいずれか１つに記載の設備機器の情報提供システムにおいて、
二次元コードは、設備機器に取り付けられた設備機器二次元コードを含み、
選定部は、読み取られた設備機器二次元コードと記憶部に記憶された設備機器に関する情報に基づいて特定設備機器に関する情報を選定する、
ことを特徴とする設備機器の情報提供システム。
【請求項５】
請求項４に記載の設備機器の情報提供システムにおいて、
設備機器に関する情報は、故障情報と点検作業項目の情報の少なくとも一方を含み、
選定部は、設備機器二次元コードに対応する設備機器にそれらの情報が関連付けられている場合、その設備機器が特定設備機器であるとし、その機器に関する情報を選定する、
ことを特徴とする設備機器の情報提供システム。
【請求項６】
請求項１から５のいずれか１つに記載の設備機器の情報提供システムにおいて、
設備機器に関する情報は、点検作業手順書の情報を含み、
提供部は、選定部により選定された特定設備機器に関する情報として点検作業手順書を提供する、
ことを特徴とする設備機器の情報提供システム。
【請求項７】
請求項１から６のいずれか１つに記載の設備機器の情報提供システムにおいて、
携帯端末は、情報を入力可能な入力部を含み、
携帯端末は、入力部により入力された点検作業に関する情報を監視センタに送信する、
ことを特徴とする設備機器の情報提供システム。
【請求項８】
建物に配置された設備機器と、
設備機器に取り付けられた設備機器二次元コードと、
保守員が保持し、設備機器二次元コードを撮影する撮影部と情報を表示する表示部とを含む携帯端末と、
携帯端末に通信回線を介して接続され、設備機器を遠隔から監視する監視センタと、
を有し、
監視センタは、
建物と設備機器に関する情報を記憶する記憶部と、
撮影部によって撮影された設備機器二次元コードと記憶部に記憶された情報とに基づいてその二次元コードに対応する設備機器に関する情報を選定する選定部と、
選定部により選定された設備機器に関する情報を携帯端末に提供する提供部と、
を含み、
表示部は、提供部から提供された設備機器に関する情報を、撮影部により撮影される設備機器に関連付けて表示する、
ことを特徴とする設備機器の情報提供システム。
【請求項９】
請求項８に記載の設備機器の情報提供システムにおいて、
設備機器に関する情報は、故障情報と点検作業項目の情報の少なくとも一方を含み、
選定部は、設備機器二次元コードに対応する設備機器にそれらの情報が関連付けられている場合、その設備機器が保守点検すべき設備機器である特定設備機器と特定して、その機器に関する情報を選定し、
表示部は、表示中の設備機器に特定設備機器がある場合、その機器を他の設備機器に対して区別可能なように表示させる、
ことを特徴とする設備機器の情報提供システム。
【発明の詳細な説明】
【技術分野】
【０００１】
本発明は、建物に配置された設備機器に関する情報を提供する設備機器の情報提供システムに関する。
【背景技術】
【０００２】
従来から、建物に配置されたエレベータなどの設備機器に異常が発生した場合、その異常情報を受け付けた監視センタからその建物に保守員を派遣するシステムが知られている。このようなシステムを運用する会社は、保守員による設備機器の定期点検をサービスとして提供する例がある。
【０００３】
このような保守員を派遣するシステムにおいては、保守員は、設備機器の異常に対応する場合、その設備機器に関する情報、例えば設置位置、型番、仕様書、故障履歴、故障情報、手順書及び手順項目の情報に基づいて保守作業を実施する。また、このシステムで設備機器の定期点検を行なう場合においても、保守員は、上述のような設備機器に関する情報に基づいて保守作業を実施する。
【０００４】
下記特許文献１には、保守点検対象機器に取り付けられた二次元コードと、このコードを読み取る情報発信機と、この情報発信機により読み取られた二次元コードに基づいて保守点検箇所を特定して保守点検用の情報を情報発信機に送信する送信手段とを有する保守点検管理システムが記載されている。このシステムによれば、保守員が、保守点検箇所に対応した保守点検用の情報を必要に応じて取得することができ、その情報に従って保守点検作業を実施することができる。
【先行技術文献】
【特許文献】
【０００５】
【特許文献１】特開２００７−１５３５８１号公報
【発明の概要】
【発明が解決しようとする課題】
【０００６】
上記特許文献１のようなシステムにおいては、情報発信機によって保守点検の対象となる設備機器のコードを読み取ることで、その設備機器に関する情報が容易に取得される。
【０００７】
しかしながら、現地に派遣された保守員が、そもそも、保守点検の対象となる設備機器の設置位置がわからない場合、その設備機器に関する情報を取得することができない。このため、保守点検作業前に、設備機器を探す手間がかかってしまう。もしくは、設備機器を探す手間を省くため、保守員が、情報発信機のほかに、設備機器の設置位置に関する情報、例えば図面を予め所持しなければならない。
【０００８】
また、保守員が、読み取るべきコードを間違えた場合、例えば保守点検の対象となる設備機器に隣接する同じ型番の設備機器に取り付けられた二次元コードを読み取った場合、その隣接する設備機器に関する情報が取得されてしまう。そうすると、保守員は、この取得された情報が保守点検すべき設備機器に関する情報でないとは気付かずに、この情報に基づいて保守作業を実施してしまう可能性がある。
【０００９】
本発明の目的は、現地に派遣された保守員に対して、保守点検すべき設備機器に関する情報を正確に提供することができる設備機器の情報提供システムを提供することにある。
【課題を解決するための手段】
【００１０】
本発明の設備機器の情報提供システムは、建物に配置された設備機器と、建物に取り付けられた二次元コードと、保守員が保持し、二次元コードを撮影する撮影部を含む携帯端末と、携帯端末に通信回線を介して接続され、設備機器を遠隔から監視する監視センタと、を有し、監視センタは、建物と設備機器に関する情報を記憶する記憶部と、撮影部によって撮影された二次元コードと記憶部に記憶された情報とに基づいて保守点検すべき設備機器である特定設備機器に関する情報を選定する選定部と、選定部により選定された情報を携帯端末に提供する提供部と、を含むことを特徴とする。
【００１１】
また、記憶部は、複数の設備機器が収容された区画に関する情報を記憶し、二次元コードは、前記区画の入口付近に取り付けられた区画二次元コードを含み、選定部は、区画二次元コードの区画に特定設備機器がある場合、その特定設備機器に関する情報と、その区画に関する情報として区画のレイアウト情報とを選定し、提供部は、選定部により選定されたそれらの情報を提供することができる。
【００１２】
また、選定部は、選定されたレイアウト情報に特定設備機器の位置をプロットすることができる。
【００１３】
また、二次元コードは、設備機器に取り付けられた設備機器二次元コードを含み、選定部は、読み取られた設備機器二次元コードと記憶部に記憶された設備機器に関する情報に基づいて特定設備機器に関する情報を選定することができる。
【００１４】
また、設備機器に関する情報は、故障情報と点検作業項目の情報の少なくとも一方を含み、選定部は、設備機器二次元コードに対応する設備機器にそれらの情報が関連付けられている場合、その設備機器が特定設備機器であるとし、その機器に関する情報を選定することができる。
【００１５】
また、設備機器に関する情報は、点検作業手順書の情報を含み、提供部は、選定部により選定された特定設備機器に関する情報として点検作業手順書を提供することができる。
【００１６】
また、携帯端末は、情報を入力可能な入力部を含み、携帯端末は、入力部により入力された点検作業に関する情報を監視センタに送信することができる。
【００１７】
また、別の発明の設備機器の情報提供システムは、建物に配置された設備機器と、建物に取り付けられた二次元コードと、保守員が保持し、二次元コードを撮影する撮影部と情報を表示する表示部とを含む携帯端末と、携帯端末に通信回線を介して接続され、設備機器を遠隔から監視する監視センタと、を有し、監視センタは、建物と設備機器に関する情報を記憶する記憶部と、撮影部によって撮影された二次元コードと記憶部に記憶された情報とに基づいてその二次元コードに対応する設備機器に関する情報を選定する選定部と、選定部により選定された設備機器に関する情報を携帯端末に提供する提供部と、を含み、表示部は、提供部から提供された設備機器に関する情報を、撮影部により撮影される設備機器に関連付けて表示することができる。
【００１８】
また、設備機器に関する情報は、故障情報と点検作業項目の情報の少なくとも一方を含み、選定部は、設備機器二次元コードに対応する設備機器にそれらの情報が関連付けられている場合、その設備機器が保守点検すべき設備機器である特定設備機器と特定して、その機器に関する情報を選定し、表示部は、表示中の設備機器に特定設備機器がある場合、その機器を他の設備機器に対して区別可能なように表示させることができる。
【発明の効果】
【００１９】
本発明の設備機器の情報提供システムによれば、現地に派遣された保守員に対して、保守点検すべき設備機器に関する情報を正確に提供することができる。
【図面の簡単な説明】
【００２０】
【図１】本実施形態に係る設備機器の情報提供システムの構成を示す図である。
【図２】二次元コードに含まれる各種情報の一例を示す図である。
【図３】建物と区画と設備機器に関する情報の一例を示す図である。
【図４】機械室における設備機器のレイアウトを示す図である。
【図５】設備機器の情報提供システムの制御動作の一例を示すフローチャートである。
【発明を実施するための形態】
【００２１】
以下、本発明に係る設備機器の情報提供システムの実施形態について、図を用いて説明する。一例として、一つの建物を挙げ、この建物に設けられる設備機器の情報を提供する情報提供システムについて説明する。なお、本発明は、この態様に限らず、複数の建物にそれぞれ設けられる設備機器を対象にする情報提供システムにも適用することができる。
【００２２】
図１は、本実施形態に係る設備機器の情報提供システム（以下、単に「システム」と記す）１０の構成を示す図である。システム１０は、建物１２に派遣される保守員が所持する携帯端末１４と、建物１２に配置される設備機器１６を遠隔から監視する監視センタ１８とを有し、携帯端末１４と監視センタ１８とは、通信回線２０を介して接続されている。
【００２３】
設備機器１６は、監視センタ１８の監視対象となる設備の機器のことであり、空調設備、受変電設備、照明設備、給排水衛生設備、セキュリティ設備、昇降設備および防災設備などに用いられる機器である。また、設備機器１６は、この機器本体に他に、機器本体を制御する制御機器および各種センサを含む。設備機器１６には、必要に応じて、異常信号を出力する出力接点（図示せず）が設けられ、この出力接点と監視センタ１８が、建物１２を管理する管理装置（図示せず）と通信回線２０を介して接続される。なお、出力接点と監視センタ１８が、通信回線２０とは異なる回線であってもよい。
【００２４】
通信回線２０は、有線方式あるいは無線方式で構成される。また、両者を混用することも可能である。通信回線２０は、公衆の便に供される共用通信回線であっても、独自の専用の通信回線であってもよい。また、両者を混用することも可能である。
【００２５】
建物１２は、例えばオフィスビル、病院、集合住宅、公共施設または工場である。建物１２は、複数の設備機器１６が収容された区画２２を有する。本実施形態の区画２２は、複数の設備機器１６が配置された機械室である。なお、本発明はこの構成に限定されず、複数の設備機器１６を収容するものであれば、区画２２を、機械室に配置され、設備機器１６の制御に必要な制御機器を複数収容する制御盤とすることもできる。
【００２６】
また、建物１２には、二次元コード２４が取り付けられる。二次元コード２４は、例えばＱＲコード（登録商標）であり、各種情報を含んでいる。
【００２７】
この各種情報の一例について、図２を用いて説明する。二次元コード２４は、建物番号Ａと区画番号Ｂと設備機器番号Ｃの少なくとも１つを含む。建物番号Ａは、各建物１２にそれぞれ対応する番号である。区画番号Ｂは、各区画２２にそれぞれ対応する番号である。設備機器番号Ｃは、各設備機器１６に対応する番号である。これらの番号は、文字や記号から構成されてもよい。図２に示されるように、二次元コードに含まれる情報を少なくしシリアルナンバーにする理由は、そこから個人情報が漏洩しないようにするためである。
【００２８】
二次元コード２４は、取り付けられる対象物の属性を示す情報を含む。具体的には、二次元コード２４が、建物１２の入口付近に取り付けられている場合、そのコード２４（以下、「建物二次元コード２４ａ」と記す）は建物番号Ａを含む。二次元コード２４が、区画２２の入口付近に取り付けられている場合、そのコード２４（以下、「区画二次元コード２４ｂ」と記す）は建物番号Ａと区画番号Ｂを含む。そして、二次元コード２４が設備機器１６に取り付けられている場合、そのコード２４（以下、「設備機器二次元コード２４ｃ」と記す）は建物番号Ａと区画番号Ｂと設備機器番号Ｃとを含む。
【００２９】
携帯端末１４は、音声情報、文字情報、画像データ情報、またはそれらを組み合わせた情報などを通信可能な通信機器であり、例えば、携帯電話、ＰＨＳ、スマートフォン、パソコンなどである。また、携帯端末１４は、ＧＰＳ（Global Positioning System）などの衛星測位システムを有し、現在の位置情報を取得することもできる。
【００３０】
携帯端末１４は、撮影部２６と表示部２８と入力部３０とを有する。撮影部２６は、静止画と動画を撮影することができるカメラであり、二次元コード２４を撮影することができる。表示部２８は、文字や画像データなどの情報を表示するディスプレイである。そして、入力部３０は、保守員の操作により情報を入力可能な装置であり、テンキー、キーボード、マウスまたは表示部２８に一体化されたタッチパネルである。
【００３１】
監視センタ１８は、監視部３２と記憶部３４と選定部３６と提供部３８とを有する。
【００３２】
監視部３２は、設備機器１６の出力接点に接続され、設備機器１６の異常を監視する。設備機器１６の異常とは、設備機器１６が正常ではない状態のことであり、これには設備機器１６の故障が含まれる。監視部３２は、ある設備機器１６の故障が生じてその設備機器１６の出力接点から信号を受信した場合、その設備機器１６の設備機器番号Ｃに関連付けて故障情報を記憶部３４に記憶させる。このとき、記憶部３４においては、故障情報のある設備機器１６が、点検作業すべき特定の設備機器（以下、単に「特定設備機器」と記す）４０として重み付けされる。
【００３３】
本実施形態においては、故障情報のある設備機器１６を特定設備機器４０とする場合について説明したが、本発明はこの構成に限定されない。点検作業すべき設備機器１６であれば、点検作業項目の情報のある設備機器１６を特定設備機器４０とすることもできる。この場合、保守員または監視センタ１８の監視員により、予め、点検作業が必要な設備機器１６またはその設備機器番号Ｃに関連付けて点検作業項目の情報を記憶部３４に記憶させればよい。
【００３４】
記憶部３４は、建物１２と設備機器１６と区画２２に関する情報をそれぞれ記憶する。具体的には、記憶部３４は、建築番号Ａと建物１２に関する情報を、区画番号Ｂと区画２２に関する情報と、設備機器番号Ｃと設備機器１６に関する情報をそれぞれ対応付けたテーブルを記憶している。
【００３５】
建物１２と設備機器１６と区画２２に関する情報は、例えば図３に示されるような情報である。建物１２に関する情報は、建物１２の住所と、建物１２の名称と、建物１２の所有者の情報と、建物１２の管理者の情報とを含む。区画２２に関する情報は、区画１２の位置と、区画１２の名称と、区画１２に収容された設備機器１４の配置を示すレイアウト情報とを含む。レイアウト情報とは、例えは平面図である。そして、設備機器１４に関する情報は、型番と、仕様と、過去の故障を示す故障履歴と、現在の故障を示す故障情報と、点検作業手順及び項目と、位置情報とを含む。
【００３６】
選定部３６は、保守員の携帯端末１４によって取得された二次元コード２４と記憶部３４に記憶された情報とに基づいて、その保守員に対して必要な情報、すなわち特定設備機器４０に関する情報を選定する。提供部３８は、選定部３６により選定された情報を携帯端末１４に提供する。このシステムにおいては、どの二次元コード２４からも特定設備機器４０に関する情報を正確に提供することができる。
【００３７】
以下、選定部３６の機能について、二次元コード２４が建築二次元コード２４ａ、区画二次元コード２４ｂ、または設備機器二次元コード２４ｃである場合にそれぞれ分けて説明する。
【００３８】
まず、二次元コード２４が建物二次元コード２４ａである場合について説明する。この場合、選定部３６は、建物二次元コード２４ａの情報、すなわち建物番号Ａに対応する建物１２に関する情報を選定する。さらに、選定部３６は、建物番号Ａに属する設備機器番号Ｃに対応する特定設備機器４０に関する情報であって、その機器４０の位置情報を選定する。この位置情報は、例えば特定設備機器４０が配置される区画２２、すなわち機械室の位置情報であってもよい。この情報により、保守員が特定設備機器４０、または特定設備機器４０が収容される区画２２に迷わず辿り着くことができる。
【００３９】
次に、二次元コード２４が区画二次元コード２４ｂである場合について、図４を用いて説明する。図４は、区画２２である機械室における設備機器１６のレイアウトを示す図である。
【００４０】
機械室２２には、設備機器１６であるモータと制御盤がそれぞれ複数台配置される。そして、機械室２２の入口付近には、区画二次元コード２４ｂが取り付けられ、各設備機器１６には、設備機器二次元コード２４ｃがそれぞれ取り付けられる。この図においては、紙面の右上隅に配置されるモータが故障しており、特定設備機器４０に設定されている。なお、本実施形態においては、制御盤が設備機器１６である場合について説明したが、本発明はこの構成に限定されず、制御盤は複数の制御機器を収容しているので、これを区画２２として設定することもできる。
【００４１】
選定部３６は、区画二次元コード２４ｂの情報、すなわち区画番号Ｂに対応する区画２２に関する情報を選定する。さらに、選定部３６は、区画番号Ｂに属する設備機器番号Ｃに対応する特定設備機器４０に関する情報であって、その機器４０の位置情報を選定する。このとき、図４に示されるように、その区画２２に特定設備機器４０があるので、選定された位置情報と、区画２２に関する情報に含まれるレイアウト情報とを結合させることができる。すなわち、レイアウト情報に特定設備機器４０の位置をプロットすることができる。このように複数の位置情報を結合することにより、その情報に対する保守員の認知度が向上するので、例えば機械室２２が広くかつそこに同型の設備機器１６が複数設置されていたとしても、保守員は特定設備機器４０に迷わず確実に辿り着くことができる。
【００４２】
一方、図４とは異なるが、その区画２２に特定設備機器４０がない場合、選定部３６は、特定設備機器４０に関する情報として、例えば特定設備機器４０が配置される別の区画２２の位置情報を選定することができる。
【００４３】
次に、二次元コード２４が設備機器二次元コード２４ｃである場合について、再び図４を用いて説明する。なお、その設備機器二次元コード２４ｃが特定設備機器４０に取り付けられたものと、それ以外の設備機器１６に取り付けられたものとに分けて説明する。
【００４４】
設備機器二次元コード２４ｃが特定設備機器４０に取り付けられたものである場合、選定部３６は、設備機器二次元コード２４ｃに含まれる設備機器番号Ｃに対応する特定設備機器４０に関する情報を選定する。この情報には、故障情報、点検作業手順及び項目などの情報が含まれるので、保守員は、これらの情報に基づいて保守作業を実施することができる。
【００４５】
一方、設備機器二次元コード２４ｃが設備機器１６に取り付けられたものである場合、選定部３６は、設備機器二次元コード２４ｃに含まれる設備機器番号Ｃに対応する設備機器１６に関する情報を選定する。さらに、選定部３６は、特定設備機器４０の位置情報を選定する。このときの位置情報は、図４に示されるようなレイアウト情報とすることができる。すなわち、機械室２２のレイアウト情報に特定設備機器４０の位置をプロットした図面とすることもできる。これにより、保守員は、その設備機器１６に関する情報を取得することができるとともに、その設備機器１６が特定設備機器４０ではないことを認識することもできるので、保守点検すべき設備機器１６の誤認を防止することができる。
【００４６】
続いて、本実施形態における設備機器１６の情報提供システムの制御動作の一例について、図５を用いて説明する。なお、この制御動作においては、設備機器１６の故障が発生し、保守員が現地に派遣された時点をスタートとする。
【００４７】
まず、ステップＳ１０１において、携帯端末１４により建物二次元コード２４ａが撮影され、監視センタ１８に送信される。そして、ステップＳ１０２において、選定部３６により選定された情報の一つである機械室２２の位置情報が提供される。この位置情報は、保守点検すべき特定設備機器４０が配置される機械室２２の情報である。
【００４８】
次に、ステップＳ１０３において、機械室２２の入口で区画二次元コード２４ｂが撮影され、監視センタ１８に送信される。そして、ステップＳ１０４において、選定部３６により選定された情報の一つである特定設備機器４０の位置情報が提供される。この位置情報は、特定設備機器４０がプロットされた機械室２２のレイアウト情報である。
【００４９】
そして、ステップＳ１０５において、特定設備機器４０の設備機器二次元コード２４ｃが撮影され、監視センタ１８に送信される。そして、ステップＳ１０６において、選定部３６により選定された情報の一部である故障情報と点検作業手順及び項目の情報が提供される。
【００５０】
その後、ステップＳ１０７において、提供された情報に基づいて保守点検作業が実施され、その作業が終了すると、ステップＳ１０８において、携帯端末１４により作業終了の報告が行なわれ、この制御動作が終了する。
【００５１】
このように、本実施形態のシステム１０においては、どの二次元コードからも特定設備機器４０に関する情報が正確に提供される。具体的には、特定設備機器４０以外の二次元コードからは、特定設備機器４０の位置情報が提供されるので、建物１２に初めて派遣された保守員であっても、対象機器の誤認を防止することができるとともに、特定設備機器４０に早期にかつ確実に辿り着くことができる。これにより、保守点検作業を早期に着手できる。一方、特定設備機器４０の二次元コードからは、保守点検作業に関する情報が提供されるので、作業を確実に遂行することができる。
【００５２】
この実施形態においては、二次元コード２４が建物番号Ａと区画番号Ｂと設備機器番号Ｃの少なくとも一つを含む場合について説明したが、この構成に限定されない。設備機器１６の設置台数が少なく、かつ建物１２が簡易な構造であれば、二次元コード２４が、設備機器１６にのみ取り付けられ、そこには設備機器番号Ｃのみを含んでもよい。
【００５３】
次に、別の実施形態のシステム１０について説明する。なお、上記実施形態と同じ構成要素については同一の符号を付し、詳細な説明は省略する。
【００５４】
この実施形態の携帯端末１４の撮影部２６は、撮影範囲に含まれる複数の二次元コード２４を一度に認識する。監視センタ１８の選定部３６は、それらの二次元コード２４の例えば設備機器番号Ｃに対応する設備機器１６に関する情報を選定し、提供部３８がそれらの情報を携帯端末１４に提供する。
【００５５】
そして、本実施形態においては、携帯端末１４の表示部２８が、提供部３８から提供された設備機器１６に関する情報を、撮影部２６により撮影される設備機器１６に関連付けて表示することを特徴とする。これにより、表示部２８に表示されるリアルタイムの動画上に、設備機器１６に関する情報を貼り付けることができる、これは、上述した実施形態における平面図上にプロットされた情報より、視認性の向上を図ることができる表示方法である。特に、特定設備機器４０を、他の設備機器１６に対して区別可能なように表示させることが好適である。区別可能な表示とは、色や文字を変化させて、特定設備機器４０の視認性を向上させる表示である。
【００５６】
なお、撮影部２６により二次元コード２４を撮影することができなくても、表示部２８に表示される設備機器１６に情報を関連付けて表示させることができる。例えば、携帯端末１４はＧＰＳ機能を有している場合、この機能により携帯端末１４の位置情報と撮影部２６が撮影している方位情報がわかる。選定部３６は、これらの情報と、記憶部３４の情報、例えば機械室のレイアウト情報とに基づいて、撮影部２６により撮影されている範囲の設備機器１６に関する情報を選定する。そして、その選定された情報を、表示部２８に表示される設備機器１６に関連付けて表示させればよい。
【符号の説明】
【００５７】
１０  設備機器の情報提供システム、１２  建物、１４  携帯端末、１６  設備機器、１８  監視センタ、２０  通信回線、２２  機械室、２４  二次元コード、２６  撮影部、２８  表示部、３０  入力部、３２  監視部、３４  記憶部、３６  選定部、３８  提供部、４０  特定設備機器。
【図１】
2011243091.tif 000003
【図２】
2011243091.tif 000004
【図３】
2011243091.tif 000005
【図４】
2011243091.tif 000006
【図５】
2011243091.tif 000007